(57)【要約】【課題】高温・多湿環境下においても接着剤で接合された２枚のレンズの接合面から接着剤に含有されている揮発性有機物質が密閉空間に充満しないようにして、レンズの光学性能の低下を防止することができるレンズ鏡筒及び撮像装置を提供する。【解決手段】レンズ鏡枠６と押さえ環５とで保持された第１レンズ２、第２レンズ３、第３レンズを有し、第２レンズ３と第３レンズ４の対向するレンズ面３ｂ、４ａが接着剤で接合されたレンズ鏡筒１において、押さえ環５の半径方向に形成した溝部５ｂと、この溝部５ｂの位置に合わせてレンズ鏡枠６の光軸方向に形成した溝部６ｄとが連通するような通気孔７を設けて、レンズ接合面Ｃが位置する密閉空間Ａと第３レンズ４のレンズ面４ｂ側の開放空間Ｂとの間を通気孔７で連通する。【選択図】図１
2013050508.tif 000002
【特許請求の範囲】
【請求項１】
光軸方向に沿って順に配置された少なくとも第１、第２、第３の各レンズと、前記第１、第２、第３の各レンズを保持するレンズ鏡枠とを備え、前記第２のレンズと前記第３のレンズの対向するレンズ面が接着剤で接合されたレンズ鏡筒において、
前記接着剤で接合されたレンズ接合面が位置している前記第１レンズと前記第３のレンズとの間に形成された密閉空間と、前記第３のレンズの前記レンズ接合面と反対側のレンズ面が位置している開放空間との間を連通する通気孔を設けたことを特徴とするレンズ鏡筒。
【請求項２】
前記レンズ鏡枠の内周面に、前記第１レンズを保持するとともに前記第３のレンズを位置決めするための押さえ環を備え、
前記通気孔は、前記密閉空間と連通するようにして前記押さえ環の端面に該押さえ環の半径方向に形成した溝部と、該溝部の位置に合わせて前記レンズ鏡枠の前記光軸方向に形成した溝部又は貫通孔とが連通するようにして設けられていることを特徴とする請求項１に記載のレンズ鏡筒。
【請求項３】
前記レンズ鏡枠の内周面には、前記押さえ環を前記レンズ鏡枠に嵌合する際に前記押さえ環の溝部を前記レンズ鏡枠の溝部又は貫通孔に位置合わせするための突起が形成されていることを特徴とする請求項２に記載のレンズ鏡筒。
【請求項４】
前記押さえ環の前記第３のレンズ側の端面には、前記押さえ環の溝部と交差するようにしてリング状溝部が形成され、前記押さえ環の溝部は前記リング状溝部を通して前記レンズ鏡枠の溝部又は貫通孔に連通していることを特徴とする請求項２に記載のレンズ鏡筒。
【請求項５】
前記押さえ環の前記第３のレンズ側の端面には、前記第３のレンズと接するレンズ当接面のみが突出するようにして段差面が形成され、前記押さえ環の溝部は前記段差面を通して前記レンズ鏡枠の溝部又は貫通孔に連通していることを特徴とする請求項２に記載のレンズ鏡筒。
【請求項６】
前記第２のレンズは、前記第３のレンズよりも小径に形成されており、
前記第３のレンズの前記レンズ接合面よりも外周側の光学非有効部に、前記光軸方向に沿って前記密閉空間と前記開放空間との間を連通する前記通気孔としての溝部又は貫通孔が形成されていることを特徴とする請求項１に記載のレンズ鏡筒。
【請求項７】
前記第２のレンズと前記第３のレンズは同径に形成されており、
接合された前記第２のレンズと前記第３のレンズの外周側の光学非有効部に、前記光軸方向に沿って前記密閉空間と前記開放空間との間を連通する前記通気孔としての溝部又は貫通孔が形成されていることを特徴とする請求項１に記載のレンズ鏡筒。
【請求項８】
請求項１乃至７のいずれか一項に記載のレンズ鏡筒と、前記第１、第２、第３の各レンズを含む撮像光学系により結像された被写体像を電気信号に変換する撮像素子とを備えることを特徴とする撮像装置。
【発明の詳細な説明】
【技術分野】
【０００１】
本発明は、接着剤で接合された２枚のレンズを含む複数のレンズが保持されたレンズ鏡筒、及び該レンズ鏡筒を備えた撮像装置に関する。
【背景技術】
【０００２】
デジタルカメラや車載カメラ（例えば、バックモニタカメラなど）等の撮像装置は、撮像光学系を構成する複数のレンズが光軸方向に沿って保持されたレンズ鏡筒と、前記複数のレンズを通して被写体像が結像するＣＣＤセンサ等の撮像素子を備えている。
【０００３】
近年、デジタルカメラや車載カメラ等の撮像装置においては、装置全体の小型化が求められているため、レンズ鏡筒の全長を少しでも短くすることが要求されている。このため、例えば、レンズ鏡筒のレンズ枠に光軸方向に沿って位置決めされて保持される複数のレンズのうちの隣接する２枚のレンズの各対向面同士を接着剤で接合して、レンズ間の距離を短縮する構造が、従来より知られている（例えば、特許文献１参照）。
【発明の概要】
【発明が解決しようとする課題】
【０００４】
ところで、前記特許文献１のレンズ鏡筒のように、接着剤で接合された２枚のレンズの接合面（貼り合わせ面）は、レンズ枠内に形成される体積の小さい密閉空間に位置している。
【０００５】
このため、前記レンズ鏡筒を備えた撮像装置を高温・多湿環境下で使用した場合、２枚のレンズを接合面で接合している接着剤は揮発性の有機物質（以下、「揮発性有機物質」という）を含有しているため、この揮発性有機物質が揮発して前記密閉空間に充満する。そして、密閉空間に充満した揮発性有機物質の一部が、密閉空間に位置しているレンズのレンズ面に付着し、経過時間とともに付着量が増加していく。
【０００６】
このように、密閉空間に位置しているレンズのレンズ面に揮発性有機物質が付着すると、このレンズの光学性能（光透過率、コントラスト等）が低下し、高品位な被写体像が得られなくなる。
【０００７】
そこで、本発明は、高温・多湿環境下においても接着剤で接合された２枚のレンズの接合面から接着剤に含有されている揮発性有機物質が密閉空間に充満しないようにして、レンズの光学性能の低下を防止することができるレンズ鏡筒及び撮像装置を提供することを目的とする。
【課題を解決するための手段】
【０００８】
前記目的を達成するために本発明に係るレンズ鏡筒は、光軸方向に沿って順に配置された少なくとも第１、第２、第３の各レンズと、前記第１、第２、第３の各レンズを保持するレンズ鏡枠とを備え、前記第２のレンズと前記第３のレンズの対向するレンズ面が接着剤で接合されたレンズ鏡筒において、前記接着剤で接合されたレンズ接合面が位置している前記第１レンズと前記第３のレンズとの間に形成された密閉空間と、前記第３のレンズの前記レンズ接合面と反対側のレンズ面が位置している開放空間との間を連通する通気孔を設けたことを特徴としている。
【０００９】
また、本発明に係る撮像装置は、請求項１乃至７のいずれか一項に記載のレンズ鏡筒と、前記第１、第２、第３の各レンズを含む撮像光学系により結像された被写体像を電気信号に変換する撮像素子とを備えることを特徴としている。
【発明の効果】
【００１０】
本発明に係るレンズ鏡筒及び撮像装置によれば、接着剤で接合されたレンズ接合面が位置している第１レンズと第３のレンズとの間に形成された密閉空間と、第３のレンズのレンズ接合面と反対側のレンズ面が位置している開放空間との間を連通する通気孔を設けたことにより、接着剤から揮発した揮発性有機物質を、密閉空間内に充満させることなく通気孔を通して開放空間に逃すことができる。
【００１１】
これにより、接着剤から揮発した揮発性有機物質が密閉空間内に充満して、揮発性有機物質が密閉空間内に位置しているレンズのレンズ面に付着することが低減されるので、レンズの光学性能（光透過率、コントラスト等）の低下を防止することができる。
【図面の簡単な説明】
【００１２】
【図１】本発明の実施形態１に係るレンズ鏡筒を示す概略断面図。
【図２】実施形態１のレンズ鏡筒を備えた撮像装置の要部を示す概略斜視図。
【図３】本発明の実施形態２に係るレンズ鏡筒を示す概略断面図。
【図４】本発明の実施形態３に係るレンズ鏡筒を示す概略断面図。
【図５】実施形態３のレンズ鏡筒の要部を示す拡大断面図。
【図６】本発明の実施形態４に係るレンズ鏡筒を示す概略断面図。
【図７】実施形態４のレンズ鏡筒の押え環を示す斜視図。
【図８】本発明の実施形態５に係るレンズ鏡筒を示す概略断面図。
【図９】実施形態５のレンズ鏡筒の押え環を示す斜視図。
【図１０】本発明の実施形態６に係るレンズ鏡筒を示す概略断面図。
【図１１】実施形態６のレンズ鏡筒の第２レンズが接合された第３レンズを示す斜視図。
【図１２】実施形態６の変形例に係る第２レンズが接合された第３レンズを示す斜視図。
【図１３】（ａ）、（ｂ）は、実施形態６の他の変形例に係る第２レンズが接合された第３レンズを示す斜視図。
【発明を実施するための形態】
【００１３】
以下、本発明を図示の実施形態に基づいて説明する。
【００１４】
〈実施形態１〉
図１は、本発明の実施形態１に係るレンズ鏡筒を示す概略断面図、図２は、このレンズ鏡筒を備えた車載カメラやデジタルカメラ等の撮像装置の要部を示す概略斜視図である。
【００１５】
図１に示すように、このレンズ鏡筒１は、被写体側（図１の左側）から順に配置された撮像光学系を構成する第１レンズ２、第２レンズ３、第３レンズ４と、押え環５と、レンズ鏡枠６を備えている。図２に示すように、本実施形態に係る撮像装置１０は、前記レンズ鏡筒１と、該レンズ鏡筒１の背面側に配置したＣＣＤセンサなどの撮像素子１１が実装された基板回路板１２を主要構成部材として備えている。
【００１６】
この撮像装置１０は、レンズ鏡筒１の撮像光学系（第１レンズ２、第２レンズ３、第３レンズ４）を通して被写体像が撮像素子１１の受光面に結像すると光電変換され、基板回路板１２で画像信号に信号処理される。基板回路板１２で生成された画像信号は、例えばモニタ装置（不図示）に出力され、表示面に画像として表示することができる。
【００１７】
（レンズ鏡筒１の詳細な構成）
プラスチックレンズからなる第１レンズ２、第２レンズ３、第３レンズ４は、これらのレンズの中心と光軸が一致するようにして被写体側（図１の左側）から順に配置されている。
【００１８】
第１レンズ２は凸メニスカスレンズである。第２レンズ３は両面凸レンズである。第３レンズ４は両面凹レンズである。第２レンズ３の外径は、第３レンズ４の外径よりも小さく形成されている。また、第１レンズ２の外径は、第２レンズ３の外径よりも大きく形成されている。なお、第１レンズ２、第２レンズ３、第３レンズ４において、被写体側（図１の左側）のレンズ面をそれぞれレンズ面２ａ，３ａ，４ａとし、被写体側と反対側のレンズ面をそれぞれレンズ面２ｂ，３ｂ，４ｂとする。
【００１９】
互いに密着するような曲面形状に形成された、第２レンズ３の凸状の第２レンズ面３ｂと、第３レンズ４の第１レンズ面４ａは、接着剤（不図示）によって接合されている（貼り合わされている）。
【００２０】
レンズ鏡枠６の内周面には、押え環５の外周面が嵌合される大径部６ａと、第３レンズ４の外周面が嵌合される小径部６ｂが形成されている。第１レンズ２は、押え環５の前面側の内周面に嵌合されるようにして保持されている。
【００２１】
押え環５は、レンズ鏡枠６の前面側の大径部６ａに嵌合されて固定されている。第２レンズ３が接合された第３レンズ４は、レンズ鏡枠６の背面側の小径部６ｂに嵌合されるようにして保持されている。また、第３レンズ４の第１レンズ面４ａ側の外周縁部は、押え環５のレンズ当接面５ａに当接して位置決めされている。
【００２２】
レンズ鏡筒１の内側には、第１レンズ２の第２レンズ面２ｂと押え環５の内周面と第３レンズ４の第２レンズ３を接合した第１レンズ面４ａとによって囲まれた密閉空間Ａが形成されている。本実施形態では、密閉空間Ａは後述する第１溝部５ｂと第２溝部６ｄによって形成される通気孔７を介して、第３レンズ４の第２レンズ面４ｂ側の開放空間Ｂと連通している。なお、接着剤で接合された第２レンズ３と第３レンズ４のレンズ接合面Ｃは、密閉空間Ａに位置している。
【００２３】
押え環５の第３レンズ４の第１レンズ面４ａ付近と接する内周面の一箇所には、半径方向に貫通する第１溝部５ｂが形成されている。第１溝部５ｂは前記密閉空間Ａに連通している。更に、レンズ鏡枠６の内周面の一箇所には、後端面６ｃ側（開放空間Ｂ側）に貫通する第２溝部６ｄが形成されている。押え環５は、第１溝部５ｂが第２溝部６ｄの位置と一致するようにしてレンズ鏡枠６に嵌合されている。これにより、第１溝部５ｂと第２溝部６ｄによって形成される通気孔７が前記密閉空間Ａと連通している。なお、第２溝部６ｄの代わりに貫通孔を設けてもよい。
【００２４】
ところで、上記レンズ鏡筒１においては、接着剤で接合された第２レンズ３と第３レンズ４のレンズ接合面Ｃが、前記密閉空間Ａ内に位置している。このため、このレンズ鏡筒１を備えた撮像装置１０を、例えば高温・多湿環境下で使用した場合、レンズ接合面Ｃから接着剤に含まれる揮発性有機物質（不図示）が密閉空間Ａ内に揮発していく。
【００２５】
この際、上記したように密閉空間Ａは、通気孔７（第１溝部５ｂと第２溝部６ｄ）を通して外部と連通しているので、密閉空間Ａ内の揮発した揮発性有機物質を、密閉空間Ａ内に充満させることなく通気孔７（第１溝部５ｂと第２溝部６ｄ）を通して開放空間Ｂに逃すことができる。
【００２６】
これにより、接着剤から揮発した揮発性有機物質が密閉空間Ａ内に充満して、揮発性有機物質がレンズ面（第１レンズ２の第２レンズ面２ｂ、第２レンズ３の第１レンズ面３ａ）に付着することが低減される。よって、レンズの光学性能（光透過率、コントラスト等）の低下を防止でき、高品位な被写体像を安定して得ることが可能となる。
【００２７】
また、撮像装置１０は、高品位な被写体像が撮像素子１１に結像することにより、高品位な画像を得ることができる。
【００２８】
〈実施形態２〉
図３は、本発明の実施形態２に係るレンズ鏡筒を示す概略断面図である。なお、図１に示した実施形態１のレンズ鏡筒と同一機能を有する部材には同一符号を付し、重複する説明は省略する。
【００２９】
実施形態１では、密閉空間Ａと連通する通気孔７（第１溝部５ｂと第２溝部６ｄ）は一箇所であったが、図３に示す本実施形態のレンズ鏡筒１ａのように、密閉空間Ａと連通する通気孔７（第１溝部５ｂと第２溝部６ｄ）を複数箇所（本実施形態では、９０度間隔で４箇所（１箇所は不図示）に設けてもよい。
【００３０】
このように、密閉空間Ａと連通する通気孔７を複数設けることにより、密閉空間Ａ内の揮発した揮発性有機物質をより効果的に開放空間Ｂに逃すことができる。
【００３１】
〈実施形態３〉
図４は、本発明の実施形態３に係るレンズ鏡筒を示す概略断面図、図５は、図４に示したレンズ鏡筒の要部を拡大した断面図である。なお、実施形態１、２のレンズ鏡筒と同一機能を有する部材には同一符号を付し、重複する説明は省略する。
【００３２】
図４、図５に示すように、本実施形態のレンズ鏡筒１ｂは、レンズ鏡枠６の内周面の第２溝部６ｄが形成された縁部に位置決め用の突起部６ｅを形成した構成である。他の構成は実施形態２と同様である。
【００３３】
このように、レンズ鏡枠６の第２溝部６ｄが形成された位置に突起部６ｅを形成することにより、押え環５をレンズ鏡枠６に嵌合して第１溝部５ｂと第２溝部６ｄの位置を合わせる際に、突起部６ｅを第１溝部５ｂに挿入することで、第１溝部５ｂと第２溝部６ｄの位置決めを容易に行うことができる。これにより、押え環５をレンズ鏡枠６に嵌合する際の作業が容易になり、かつ作業時間の短縮を図ることができる。
【００３４】
〈実施形態４〉
図６は、本発明の実施形態４に係るレンズ鏡筒を示す概略断面図、図７は、本実施形態のレンズ鏡筒の押え環を示す斜視図である。なお、実施形態１〜３のレンズ鏡筒と同一機能を有する部材には同一符号を付し、重複する説明は省略する。
【００３５】
図６、図７に示すように、本実施形態のレンズ鏡筒１ｃは、押え環５の第１溝部５ｂを複数（図７では、４つ）形成した端面に、凹状に形成されたリング状溝部５ｃをさらに設けた構成である。これにより、密閉空間Ａは第１溝部５ｂ、リング状溝部５ｃおよび第２溝部６ｄによって形成される通気孔７を通して開放空間Ｂと連通することができる。
【００３６】
このように、押え環５の第１溝部５ｂを形成した端面にリング状溝部５ｃを形成することにより、第１溝部５ｂと第２溝部６ｄの位置を一致させることなく押え環５をレンズ鏡枠６に嵌合しても、密閉空間Ａは第１溝部５ｂ、リング状溝部５ｃおよび第２溝部６ｄによって形成される通気孔を通して開放空間Ｂと連通する。これにより、押え環５をレンズ鏡枠６に嵌合する際の作業が容易になり、かつ作業時間の短縮を図ることができる。
【００３７】
〈実施形態５〉
図８は、本発明の実施形態５に係るレンズ鏡筒を示す概略断面図、図９は、本実施形態のレンズ鏡筒の押え環を示す斜視図である。なお、実施形態１〜４のレンズ鏡筒と同一機能を有する部材には同一符号を付し、重複する説明は省略する。
【００３８】
図８、図９に示すように、本実施形態のレンズ鏡筒１ｄは、押え環５の第１溝部５ｂを複数（図９では、２つ）形成した端面に、内径側にレンズ当接面５ａのみが突出して残るように削って形成された段差面５ｄを設けた構成である。第１溝部５ｂと段差面５ｄは、同一平面に位置している。
【００３９】
このように、押え環５の第１溝部５ｂを形成した端面にレンズ当接面５ａのみが突出して残るようにして段差面５ｃを設けたことにより、第１溝部５ｂと第２溝部６ｄの位置を一致させることなく押え環５をレンズ鏡枠６に嵌合しても、密閉空間Ａは第１溝部５ｂ、段差面５ｄおよび第２溝部６ｄによって形成される通気孔を通して開放空間Ｂと連通する。これにより、押え環５をレンズ鏡枠６に嵌合する際の作業が容易になり、かつ作業時間の短縮を図ることができる。
【００４０】
〈実施形態６〉
図１０は、本発明の実施形態６に係るレンズ鏡筒を示す概略断面図、図１１は、本実施形態の第２レンズが接合された第３レンズを示す斜視図である。なお、実施形態１〜５のレンズ鏡筒と同一機能を有する部材には同一符号を付し、重複する説明は省略する。
【００４１】
例えば、図１に示した実施形態１の例では、押え環５とレンズ鏡枠６にそれぞれ形成した第１溝部５ｂと第２溝部６ｄによって通気孔７を設けた構成であったが、本実施形態のレンズ鏡筒１ｅは、図１０、図１１に示すように、第３レンズ４の第２レンズ３が接合された面よりも外周側に厚み方向に沿って溝部４ｃを複数（図１１では、２つ）形成した構成である。この溝部４ｃは第３レンズ４の光学非有効部に位置している。なお、溝部４ｃは１つまたは３つ以上でもよい。
【００４２】
このように、本実施形態では、第３レンズ４に形成した溝部４ｃが通気孔として機能することで、密閉空間Ａはこの溝部４ｃによって形成される通気孔を通して開放空間Ｂと連通する。よって、本実施形態のレンズ鏡筒１ｅにおいても、密閉空間Ａ内の揮発した揮発性有機物質を、密閉空間Ａ内に充満させることなく第３レンズ４に形成した溝部４ｃ（通気孔）を通して開放空間Ｂに逃すことができる。
【００４３】
なお、本実施形態では、第３レンズ４に溝部４ｃを形成して通気孔とした例であったが、図１２に示すように、第３レンズ４の第２レンズ３が接合された面よりも外周側に厚み方向に沿って貫通孔４ｄを複数（図１２では、２つ）形成し、この貫通孔４ｄを通気孔としてもよい。なお、貫通孔４ｄは１つまたは３つ以上でもよい。
【００４４】
また、本実施形態の例では、接合された第２レンズ３の外径は、第３レンズ４の外径よりも小さく形成されていたが、図１３（ａ）、図１３（ｂ）に示すように、接着剤で接合される第２レンズ３と第３レンズ４の外径が同じ場合においても同様に、接合された第２レンズ３と第３レンズ４に溝部８（図１３（ａ）参照）を連通するように形成、または接合された第２レンズ３と第３レンズ４に貫通孔９（図１３（ｂ）参照）を連通するように形成してもよい。
【００４５】
他の構成は、図１０に示した実施形態６に係るレンズ鏡筒と略同様である。なお、この溝部８および貫通孔９は、第２レンズ３と第３レンズ４の光学非有効部に位置している。この場合においても、同様に密閉空間Ａ内の揮発した揮発性有機物質を、密閉空間Ａ内に充満させることなく接合された第２レンズ３と第３レンズ４に貫通するように形成された溝部８（または貫通孔９）を通して開放空間Ｂに逃すことができる。
【符号の説明】
【００４６】
１、１ａ〜１ｅ        レンズ鏡筒
２        第１レンズ
３        第２レンズ
４        第３レンズ
５        押え環
５ｂ      第１溝部
６        レンズ鏡枠
６ｄ      第２溝部
７        通気孔
１０      撮像装置
Ａ        密閉空間
Ｂ        開放空間
Ｃ        レンズ接合面
【先行技術文献】
【特許文献】
【００４７】
【特許文献１】特開２００８−１７５９６５号公報
【図１】
2013050508.tif 000003
【図２】
2013050508.tif 000004
【図３】
2013050508.tif 000005
【図４】
2013050508.tif 000006
【図５】
2013050508.tif 000007
【図６】
2013050508.tif 000008
【図７】
2013050508.tif 000009
【図８】
2013050508.tif 000010
【図９】
2013050508.tif 000011
【図１０】
2013050508.tif 000012
【図１１】
2013050508.tif 000013
【図１２】
2013050508.tif 000014
【図１３】
2013050508.tif 000015